(57)【要約】【課題】断熱性能および防火性能を向上できる採光窓を有する戸体および建具の提供。【解決手段】扉は、開口部１１Ａを有する戸体本体と、額縁２２と、額縁２２に保持される複層ガラス２１とを備える。額縁２２は、樹脂製額縁４０を備える。樹脂製額縁４０は、複層ガラス２１の外周面２１Ｃに沿って配置される樹脂製見込み面部４１を備える。樹脂製見込み面部４１と外周面２１Ｃとの少なくとも一方には、第１加熱発泡材４５が設けられる。見込み面部４１と開口部１１Ａの内周面との少なくとも一方には、第２加熱発泡材４６が設けられる。【選択図】図６
2018178432.tif 000002
【特許請求の範囲】
【請求項１】
開口部を有する戸体本体と、
前記開口部の内周面に沿って取り付けられた額縁と、
前記額縁に保持されて前記開口部に配置されたガラスと、を備え、
前記額縁は、樹脂製額縁を備えて構成され、
前記樹脂製額縁は、前記ガラスの外周面に沿って配置される樹脂製見込み面部を備え、
前記樹脂製見込み面部と前記ガラスの前記外周面との少なくとも一方には、第１加熱発泡材が設けられ、
前記樹脂製見込み面部と前記開口部の前記内周面との少なくとも一方には、第２加熱発泡材が設けられている
ことを特徴とする戸体。
【請求項２】
請求項１に記載の戸体において、
前記樹脂製見込み面部は、ホロー部を備えて構成され、
前記ホロー部には、不燃断熱材が配置されている
ことを特徴とする戸体。
【請求項３】
請求項２に記載の戸体において、
前記樹脂製額縁の見込み方向において、前記不燃断熱材が配置される領域と、前記第１加熱発泡材および前記第２加熱発泡材が配置される領域とは、少なくとも一部が重なっている
ことを特徴とする戸体。
【請求項４】
請求項１から請求項３のいずれか一項に記載の戸体において、
前記第１加熱発泡材は、前記樹脂製見込み面部において、前記ガラスの前記外周面に対向する面に設けられ、
前記第２加熱発泡材は、前記樹脂製見込み面部において、前記開口部の前記内周面に対向する面に設けられている
ことを特徴とする戸体。
【請求項５】
請求項１から請求項４のいずれか一項に記載の戸体において、
前記樹脂製額縁は、前記ガラスの屋内側に配置される樹脂製保持部を備え、
前記樹脂製保持部の前記ガラスの屋内面に対向する面には、第３加熱発泡材が設けられている
ことを特徴とする戸体。
【請求項６】
請求項１から請求項５のいずれか一項に記載の戸体において、
前記樹脂製額縁は、前記戸体本体の屋内側に配置される屋内側見付け面部を有し、
前記樹脂製額縁の屋内面には金属製板材が取り付けられ、
前記金属製板材と前記屋内側見付け面部との間に第４加熱発泡材が設けられている
ことを特徴とする戸体。
【請求項７】
請求項１から請求項６のいずれか一項に記載の戸体において、
前記額縁は、前記樹脂製額縁と、前記樹脂製額縁の屋外側に配置される金属製額縁とを備え、
前記金属製額縁は、前記ガラスの屋外側に配置される金属製保持部と、前記ガラスの前記外周面に沿って配置される金属製見込み面部とを備え、
前記樹脂製額縁は、前記ガラスの屋内側に配置される樹脂製保持部と、前記ガラスの前記外周面に沿って配置されて前記金属製見込み面部に連結される前記樹脂製見込み面部とを備える
ことを特徴とする戸体。
【請求項８】
請求項１から請求項７のいずれか一項に記載の戸体と、
前記戸体を開閉可能に設けた建具枠とを備える建具。
【発明の詳細な説明】
【技術分野】
【０００１】
本発明は、建物の玄関、勝手口等に用いられ、採光窓を備えた戸体および建具に関する。
【背景技術】
【０００２】
建物の出入口などに配置され、採光窓を備える建具が知られている（例えば、特許文献１参照）。
この建具の戸体には、採光用の開口が形成され、この開口に取り付けられた額縁によって複層ガラスを保持している。額縁は、複層ガラスの屋内側に配置される樹脂製の室内部材と、屋外側に配置されるアルミ製の室外部材とを備えて構成されている。これにより、アルミ製の室外部材から樹脂製の室内部材への熱伝導を抑制し、戸体の断熱性を向上させている。
【先行技術文献】
【特許文献】
【０００３】
【特許文献１】特開２０１６−１３２９４７号公報
【発明の概要】
【発明が解決しようとする課題】
【０００４】
しかしながら、特許文献１の戸体では、断熱性能に優れているが、火災時に額縁の樹脂製室内部材が溶融すると、ガラスが脱落する可能性がある。このため、断熱性能を維持しつつ防火性能を向上できる戸体および建具が求められている。
【０００５】
本発明の目的は、採光窓を有しつつ、断熱性能および防火性能を向上できる戸体および建具を提供することにある。
【課題を解決するための手段】
【０００６】
本発明の戸体は、開口部を有する戸体本体と、前記開口部の内周面に沿って取り付けられた額縁と、前記額縁に保持されて前記開口部に配置されたガラスと、を備え、前記額縁は、樹脂製額縁を備えて構成され、前記樹脂製額縁は、前記ガラスの外周面に沿って配置される樹脂製見込み面部を備え、前記樹脂製見込み面部と前記ガラスの前記外周面との少なくとも一方には、第１加熱発泡材が設けられ、前記樹脂製見込み面部と前記開口部の前記内周面との少なくとも一方には、第２加熱発泡材が設けられていることを特徴とする。
【０００７】
ここで、ガラスは、戸体の採光窓として用いられ、断熱性および防火性を考慮して、通常、網入りガラス等の防火ガラスを含む複層ガラスが用いられる。
このような戸体によれば、樹脂製見込み面部とガラスの外周面との少なくとも一方に第１加熱発泡材が設けられているので、第１加熱発泡材が発泡した際に、樹脂製見込み面部およびガラスの外周面間の隙間を塞ぐことができる。これにより、例えば、屋外で火災が発生した場合に、火炎や煙が額縁およびガラス間の隙間を介して屋内に流入することを防止できる。屋内で火災が発生した場合も、火炎や煙が屋内から屋外に流れることを防止できる。したがって、戸体の採光窓における防火性能を向上できる。
同様に、前記樹脂製見込み面部と前記戸体本体の開口部の内周面との少なくとも一方に第２加熱発泡材が設けられているので、第２加熱発泡材が発泡した際に、樹脂製見込み面部および戸体本体の開口部の内周面間の隙間を塞ぐことができ、額縁および戸体本体間の隙間から屋内外に火炎や煙が流入することを防止でき、防火性能を向上できる。
さらに、樹脂製見込み面部と、ガラスおよび戸体本体との間を、第１加熱発泡材と第２加熱発泡材とで塞ぐことができるため、樹脂製見込み面部が高熱に晒されることを抑制でき、樹脂製見込み面部が溶融することを防止できる。このため、各加熱発泡材で隙間を塞ぐ効果も維持できる。
また、ガラスの外周面に沿って配置される樹脂製見込み面部を設けたので、樹脂製見込み面部を少なくともガラスの屋内面よりも屋外側に突出して設けることができる。このため、仮に樹脂製額縁の屋外側に金属製額縁を配置した場合でも、金属製額縁との連結位置を、ガラスの屋内面よりも屋外側に配置させることができ、金属製額縁の配置位置を屋外側にできるため、額縁の断熱性能を維持できる。
【０００８】
本発明の戸体において、前記樹脂製見込み面部は、ホロー部を備えて構成され、前記ホロー部には、不燃断熱材が配置されていることが好ましい。
【０００９】
本発明によれば、樹脂製見込み面部にホロー部を設け、ホロー部に不燃断熱材を配置したので、樹脂製額縁の断熱性能を向上でき、額縁全体の断熱性能も向上できる。また、ホロー部内に不燃断熱材が配置されているため、ホロー部の形状を維持することができる。
【００１０】
本発明の戸体において、前記樹脂製額縁の見込み方向において、前記不燃断熱材が配置される領域と、前記第１加熱発泡材および前記第２加熱発泡材が配置される領域とは、少なくとも一部が重なっていることが好ましい。
【００１１】
本発明によれば、ホロー部に不燃断熱材が配置されているので、仮に樹脂製見込み面部が高温となっても不燃断熱材が配置されているホロー部は形状が維持される。したがって、仮に樹脂製見込み面部の一部が溶融しても、第１加熱発泡材はホロー部に配置された不燃断熱材とガラスとの間を確実に塞ぎ、第２加熱発泡材は不燃断熱材と戸体本体との間を確実に塞ぐことができる。
このため、第１加熱発泡材、第２加熱発泡材が発泡時に塞ぐ必要がある空間の体積が、不燃断熱材を設けない場合に比べて小さくなり、第１加熱発泡材、第２加熱発泡材の量を大幅に少なくでき、コストも低減できる。
【００１２】
本発明の戸体において、前記第１加熱発泡材は、前記樹脂製見込み面部において、前記ガラスの前記外周面に対向する面に設けられ、前記第２加熱発泡材は、前記樹脂製見込み面部において、前記開口部の前記内周面に対向する面に設けられていることが好ましい。
【００１３】
本発明によれば、ガラスの外周面に沿って設けられる樹脂製見込み面部に、第１加熱発泡材および第２加熱発泡材を設けることができるので、第１加熱発泡材および第２加熱発泡材をガラス外周面や開口部の内周面の全周に渡って容易に配置できる。
また、第１加熱発泡材および第２加熱発泡材を樹脂製額縁に設けるため、樹脂製額縁と各加熱発泡材とを同時押出成形（共押出成形）で一体成形品として製造することもでき、生産性を向上できる。
【００１４】
本発明の戸体において、前記樹脂製額縁は、前記ガラスの屋内側に配置される樹脂製保持部を備え、前記樹脂製保持部の前記ガラスの屋内面に対向する面には、第３加熱発泡材が設けられていることが好ましい。
【００１５】
本発明によれば、樹脂製額縁の樹脂製保持部に第３加熱発泡材を設けたので、火災時には、樹脂製保持部とガラスの屋内面との間を、発泡した第３加熱発泡材で塞ぐことができる。このため、樹脂製額縁とガラスとの間は、第１加熱発泡材および第３加熱発泡材によって、ガラス外周面とガラス屋内面との２箇所で塞がれるため、防火性能をより向上できる。
【００１６】
本発明の戸体において、前記樹脂製額縁は、前記戸体本体の屋内側に配置される屋内側見付け面部を有し、前記樹脂製額縁の屋内面には金属製板材が取り付けられ、前記金属製板材と前記屋内側見付け面部との間に第４加熱発泡材が設けられていることが好ましい。
【００１７】
本発明によれば、樹脂製額縁の屋内面にスチール製プレートなどの金属製板材を取り付けており、この金属製板材と屋内側見付け面部との間に第４加熱発泡材を設けたので、戸体の屋内側で火災が発生した場合に、樹脂製額縁の屋内側見付け面部が溶融、焼失した場合でも、第４加熱発泡材が発泡膨張することで、金属製板材と戸体本体との間を塞ぐことができる。したがって、樹脂製額縁の樹脂製見込み面部が火炎に晒されることを防止でき、防火性能を向上できる。
【００１８】
本発明の戸体において、前記額縁は、前記樹脂製額縁と、前記樹脂製額縁の屋外側に配置される金属製額縁とを備え、前記金属製額縁は、前記ガラスの屋外側に配置される金属製保持部と、前記ガラスの前記外周面に沿って配置される金属製見込み面部とを備え、前記樹脂製額縁は、前記ガラスの屋内側に配置される樹脂製保持部と、前記ガラスの前記外周面に沿って配置されて前記金属製見込み面部に連結される前記樹脂製見込み面部とを備えることが好ましい。
本発明において、屋内側の額縁を樹脂製額縁とし、屋外側の額縁を金属製額縁とし、樹脂製見込み面部を少なくともガラスの屋内面よりも屋外側に突出して設けることができるため、金属製額縁との連結位置を、ガラスの屋内面よりも屋外側に配置させることができ、金属製額縁の配置位置を屋外側にできるため、額縁の断熱性能を向上できる。
また、屋外側の額縁を金属製額縁で構成したので、屋外側の額縁を樹脂製額縁で構成した場合に比べて防火性能を向上できる。このため、樹脂製額縁および金属製額縁で額縁を構成すれば、断熱性能および防火性能をバランス良く向上できる。
【００１９】
本発明の建具は、前記戸体と、前記戸体を開閉可能に設けた建具枠とを備えることを特徴とする。
このような建具によれば、採光窓を有しつつも、断熱性能および防火性能に優れた建具を提供することができる。
【発明の効果】
【００２０】
本発明によれば、採光窓を有し、断熱性能および防火性能に優れた戸体および建具を提供することができる。
【図面の簡単な説明】
【００２１】
【図１】本発明の実施形態に係るドアの外観姿図。
【図２】前記ドアの縦断面図。
【図３】前記ドアの横断面図。
【図４】前記ドアの採光窓部分を拡大して示す縦断面図。
【図５】前記ドアの採光窓部分を拡大して示す横断面図。
【図６】前記採光窓の下額縁部分を拡大して示す分解断面図。
【図７】前記ドアの扉の上部および下部を拡大して示す縦断面図。
【図８】前記ドアの扉の戸先側および吊元側を拡大して示す横断面図。
【図９】本発明の変形例の下額縁部分を拡大して示す分解断面図。
【図１０】本発明の他の変形例の採光窓部分を拡大して示す縦断面図。
【発明を実施するための形態】
【００２２】
以下、本発明の実施形態を図面に基づいて説明する。
図１〜３に示すように、本発明の建具である玄関ドア１は、いわゆる片開きドアであり、建物の外壁開口部に固定される建具枠であるドア枠２と、このドア枠２に開閉可能に支持される戸体である扉１０とを備えて構成されている。
【００２３】
ドア枠２は、上枠３、下枠４および左右の縦枠５，６を有する。なお、図１の右側に配置される縦枠５が吊元側とされてピボットヒンジ７が取り付けられ、図１の左側に配置される縦枠６が戸先側とされている。また、以下の説明において、ドア枠２（上枠３、下枠４、縦枠５、６）や扉１０の見込み方向とは屋内外方向（奥行き方向）を意味し、上枠３、下枠４の見付け方向とは上下方向を意味し、縦枠５、６の見付け方向とはドア枠２を正面（室外面や室内面）から見た際の左右方向を意味する。このため、図１〜３に示すように、玄関ドア１の上下方向をＹ軸とし、Ｙ軸に対して直交し、かつ、扉１０の表面に平行な左右方向をＸ軸とし、Ｘ軸およびＹ軸に直交する方向をＺ軸とすると、見込み方向はＺ軸方向であり、上枠３、下枠４の見付け方向はＹ軸方向であり、縦枠５、６の見付け方向はＸ軸方向となる。
【００２４】
上枠３、下枠４、縦枠５、６は、図２、３に示すように、アルミ製の屋外部材および屋内部材を、ウレタン樹脂等の断熱部材で連結した断熱形材で構成されている。各上枠３、下枠４、縦枠５、６には、扉１０を閉めた際に扉１０の屋内面に当接するメインタイト材８や、サブタイト材９が取り付けられている。
なお、図２、３においては、上枠３、下枠４、縦枠５、６の屋外部材、屋内部材、メインタイト材８、サブタイト材９に関しては、図を見やすくするためにハッチングを省略している。
【００２５】
メインタイト材８は、ＥＰＤＭ（エチレンプロピレンゴム）やＰＶＣ（ポリ塩化ビニル）等の一般的な合成樹脂材で構成されている。
サブタイト材９は、ＴＰＯ（サーモポリオレフィン）等の建築用ガスケットとして利用される一般的な合成樹脂材であり、縦枠５、６の屋外部材に嵌合され、扉１０を閉めた際に扉１０の側面（見込み方向に沿った見込み面）に当接する。
【００２６】
扉１０は、図１に示すように、左右方向における中央部に上下方向に沿って縦長の採光窓２０を備えている。図１においては、縦枠５側つまり右側が扉１０の吊元側であり、縦枠６側つまり左側が扉１０の戸先側である。また、扉１０の戸先側には、操作ハンドル１７が設けられている。
【００２７】
扉１０は、開口部１１Ａを備える戸体本体１１と、開口部１１Ａに設けられた採光窓２０とを備える。
採光窓２０は、開口部１１Ａに配置される複層ガラス２１と、複層ガラス２１を保持する額縁２２とを備える。
【００２８】
戸体本体１１は、図２，３に示すように、外骨１２と、内骨１３と、外骨１２および内骨１３の屋外側に固定された屋外面材１４と、外骨１２および内骨１３の屋内側に固定された屋内面材１５と、屋外面材１４および屋内面材１５の間に設けられた断熱芯材１６とを備えている。
扉１０の屋外面材１４、屋内面材１５、断熱芯材１６には、採光窓２０を形成するための前記開口部１１Ａが設けられ、内骨１３は、開口部１１Ａの内周面に沿って設けられている。
【００２９】
屋外面材１４および屋内面材１５は、鋼板で構成されている。
断熱芯材１６は、ＥＰＳ（発泡ビーズ法ポリスチレン）製の断熱材で構成されている。なお、断熱芯材１６は、フェノール樹脂系の断熱材を用いてもよいし、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。
【００３０】
内骨１３は、開口部１１Ａの上面、下面、左右の側面に沿って配置された上骨１３Ａ、下骨１３Ｂ、左右の縦骨１３Ｃ，１３Ｄを備えている。
これらの各骨は、樹脂骨材１３０と、金属骨材１４０と、金属製ピース材であるブラケット１５０と、不燃断熱材１６０とを備え、ほぼ同じ構成とされている。このため、採光窓２０部分を拡大した図４、５に基づいて、内骨１３の構造について説明する。特に、樹脂骨材１３０、金属骨材１４０、ブラケット１５０の詳細な構成については、図６に拡大して示す下骨１３Ｂを例に説明する。
【００３１】
樹脂骨材１３０は、図６にも示すように、ＰＶＣ等の合成樹脂材で断面略Ｅ字状に形成された押出成形品である。樹脂骨材１３０は、扉１０の見込み方向に沿って形成された連結片部１３１と、連結片部１３１の屋外側から見付け方向（複層ガラス２１に向かう方向）に延長された屋外片部１３２と、連結片部１３１の屋内側から前記見付け方向に延長された屋内片部１３３と、屋外片部１３２、屋内片部１３３間において連結片部１３１から前記見付け方向に突出する区画片部１３４とを備えている。
樹脂骨材１３０の屋外片部１３２は屋外面材１４に沿って配置され、屋内片部１３３は屋内面材１５に沿って配置されている。
【００３２】
区画片部１３４は、屋外片部１３２および屋内片部１３３の間に設けられ、屋外片部１３２や屋内片部１３３とほぼ平行に形成されている。区画片部１３４は、連結片部１３１の見込み方向の中央位置よりも屋内側にずれた位置に設けられ、屋外片部１３２および区画片部１３４間の寸法は、屋内片部１３３および区画片部１３４間の寸法よりも大きく設定されている。区画片部１３４は、樹脂骨材１３０の長手方向の複数箇所に切欠部が形成されており、これらの切欠部には、金属製ピース材であるブラケット１５０がそれぞれ配置されている。
【００３３】
金属骨材１４０は、スチールなどの鋼材で構成されたチャンネル材（軽量溝形鋼）であり、樹脂骨材１３０を補強する。金属骨材１４０は、ウェブ１４１と、ウェブ１４１の屋外端部に連続する屋外フランジ１４２と、ウェブ１４１の屋内端部に連続する屋内フランジ１４３とを備える。ウェブ１４１は、樹脂骨材１３０の連結片部１３１と同じく見込み方向に沿って配置され、屋外フランジ１４２は屋外片部１３２の内面（屋内面）に沿って配置され、屋内フランジ１４３は区画片部１３４の屋外面に沿って配置されている。
【００３４】
ブラケット１５０は、スチールなどの鋼材で構成された短尺のチャンネル材であり、連結片部１３１に沿って配置された受け片部１５１と、受け片部１５１の屋外端部から直交方向に連続する固定片部１５２と、受け片部１５１の屋内端部から直交方向に連続する屋内片部１５３とを備える。
ブラケット１５０の固定片部１５２は、金属骨材１４０の屋内フランジ１４３に当接され、金属骨材１４０に金属製の連結具であるリベット１５５で連結されている。ブラケット１５０は複数個用意されており、区画片部１３４の切欠部分、すなわち、樹脂骨材１３０の長手方向において、例えば２〜５箇所程度にそれぞれ配置されている。
【００３５】
区画片部１３４および屋内片部１３３の間には、不燃性、難燃性、自己消火性、遅燃性等の燃えにくい材質で構成された断熱材（以下、不燃断熱材という）１６０が配置されている。不燃断熱材１６０は、例えば、不燃性ポリウレタンや、炭化するＭＤＦ（medium density fiberboard、中密度繊維板）等で構成されている。したがって、不燃断熱材１６０は、少なくともＥＰＳ製の断熱芯材１６よりも燃えにくい材質で構成されている。
本実施形態の不燃断熱材１６０は、樹脂骨材１３０の長手方向に沿った長尺の角柱材とされ、各ブラケット１５０の受け片部１５１に沿って配置されている。つまり、不燃断熱材１６０は、各ブラケット１５０に跨がって設けられている。
なお、区画片部１３４および屋内片部１３３間には、金属部品である複数のブラケット１５０も配置されているが、大部分は不燃断熱材１６０が配置されているため、断熱性能を向上できる。
【００３６】
なお、下骨１３Ｂは、樹脂骨材１３０の連結片部１３１が断熱芯材１６に沿って配置され、屋外片部１３２、屋内片部１３３、区画片部１３４は、連結片部１３１から開口部１１Ａ（複層ガラス２１）に向かって突出する向きに設けられている。このため、屋外片部１３２および区画片部１３４間の空間と、区画片部１３４および屋外片部１３２間の空間は、それぞれ開口部１１Ａ側に開口されている。
金属骨材１４０は、ウェブ１４１が開口部１１Ａ側に配置され、屋外フランジ１４２および屋内フランジ１４３は、樹脂骨材１３０の連結片部１３１側つまり断熱芯材１６側に突出する向きで配置されている。
ブラケット１５０は、受け片部１５１が連結片部１３１に沿って配置され、固定片部１５２、屋内片部１５３は、受け片部１５１から開口部１１Ａに向かって突出する向きで配置されている。
【００３７】
屋外面材１４は、樹脂骨材１３０の屋外片部１３２の屋外面に沿って配置され、金属製の固定部材であるリベット１３５により、屋外片部１３２を介して金属骨材１４０に固定されている。
屋内面材１５は、樹脂骨材１３０の屋内片部１３３の屋内面に沿って配置され、金属製の固定部材であるリベット１３５により、屋内片部１３３を介してブラケット１５０に固定されている。
なお、屋外面材１４および屋内面材１５は、断熱芯材１６の屋外面、屋内面に対しては、両面テープや接着剤を用いて接着されている。また、樹脂骨材１３０に対しても、リベット１３５に代えて、あるいはリベット１３５に加えて、両面テープや接着剤を用いて接着してもよい。
【００３８】
金属骨材１４０のウェブ１４１の開口部１１Ａ側の面には、２本の加熱発泡材１７１、１７２が両面テープなどで貼られている。各加熱発泡材１７１、１７２は、金属骨材１４０の長手方向に沿って連続するテープ状の部材であり、金属骨材１４０の長手方向の全長に渡って貼られている。加熱発泡材１７１、１７２は、後述するように、額縁２２との隙間を塞ぐために設けられている。
樹脂骨材１３０の連結片部１３１には、加熱発泡材１７３が両面テープなどで貼られている。加熱発泡材１７３は、区画片部１３４および屋内片部１３３間に配置され、連結片部１３１およびブラケット１５０の受け片部１５１間に配置されている。加熱発泡材１７３は、樹脂骨材１３０の長手方向に沿って連続するテープ状の部材であり、樹脂骨材１３０の長手方向の全長に渡って貼られている。このため、ブラケット１５０が配置されていない部分では、不燃断熱材１６０に対向して配置されている。この加熱発泡材１７３は、ブラケット１５０および不燃断熱材１６０と、屋内面材１５との隙間などを塞ぐために設けられている。
これらの加熱発泡材１７１、１７２、１７３は、熱膨張性黒鉛などを含んで構成され、火災時などに温度が所定温度（例えば２００度）以上になると、発泡して約２０〜４０倍程度に膨張し、遮炎材として機能するものである。以下で説明する他の加熱発泡材も同じ材質で構成されている。
【００３９】
図４に示すように、上骨１３Ａは、下骨１３Ｂと同一の構造であり、下骨１３Ｂの上下を逆にした向き、つまり樹脂骨材１３０の連結片部１３１を上側（断熱芯材１６側）、金属骨材１４０のウェブ１４１を開口部１１Ａ（複層ガラス２１側）に配置している。
図５に示すように、縦骨１３Ｃ、１３Ｄも、上骨１３Ａ、下骨１３Ｂと同一の構造であり、樹脂骨材１３０の連結片部１３１を戸体本体１１の外側（断熱芯材１６側）、金属骨材１４０のウェブ１４１を開口部１１Ａ側（複層ガラス２１側）に配置している。
したがって、上骨１３Ａ、縦骨１３Ｃ、１３Ｄの詳細な説明は省略する。
【００４０】
採光窓２０は、図１〜３に示すように、複層ガラス２１と、複層ガラス２１を保持する額縁２２とを備える。
【００４１】
複層ガラス２１は、図４〜６に示すように、屋外側に配置された網入りガラス２１１と、屋内側に配置された板ガラス２１２と、各ガラス２１１、２１２間に配置された板ガラス２１３の３枚のガラスを備えたトリプルガラスである。
各ガラス２１１〜２１３は、スペーサー２１５、２１６を介して接合され、各ガラス２１１〜２１３間には中空部が設けられている。
複層ガラス２１は、網入りガラス２１１を備えているため、防火性能を確保することができる。また、３枚のガラス２１１〜２１３は、中空部を介して配置されているので、断熱性も向上できる。
図６に示すように、複層ガラス２１の屋外面２１Ａは、網入りガラス２１１の屋外面であり、複層ガラス２１の屋内面２１Ｂは、板ガラス２１２の屋内面である。複層ガラス２１の外周面２１Ｃは、内骨１３に対向する面であり、網入りガラス２１１、板ガラス２１２、２１３の外周面と、スペーサー２１５、２１６の外周面とを含んでいる。
【００４２】
額縁２２は、複層ガラス２１の屋外側を保持する金属製額縁３０と、複層ガラス２１の屋内側を保持する樹脂製額縁４０と、樹脂製額縁４０の屋内側を覆う額縁カバー材５０とを備えて構成されている。本実施形態では、金属製額縁３０と額縁カバー材５０は、アルミニウム製であり、樹脂製額縁４０は、ＥＰＤＭ（エチレンプロピレンゴム）やＰＶＣ（ポリ塩化ビニル）などで構成されている。
【００４３】
金属製額縁３０は、図１に示すように、複層ガラス２１の上側に配置される金属製の上額縁３０Ａと、複層ガラス２１の下側に配置される金属製の下額縁３０Ｂと、複層ガラス２１の左右に配置される金属製の縦額縁３０Ｃ，３０Ｄとを備えている。
縦額縁３０Ｃ，３０Ｄは、戸体本体１１の上端から下端まで全長に渡って配置されている。また、上額縁３０Ａは、開口部１１Ａから戸体本体１１の上端まで配置され、下額縁３０Ｂは、開口部１１Ａから戸体本体１１の下端まで配置されている。
したがって、各額縁３０Ａ〜３０Ｄは、複層ガラス２１を保持するだけでなく、戸体本体１１の意匠パーツとしても利用されている。
【００４４】
上額縁３０Ａ、下額縁３０Ｂは、図２，４に示すように、断面形状（縦断面形状）が同一のアルミ押出形材であり、互いの上下が逆になるように配置されている。なお、額縁３０Ａ、３０Ｂでは、Ｙ軸方向（上下方向）において複層ガラス２１側を内側、断熱芯材１６側を外側とする。
【００４５】
上額縁３０Ａ、下額縁３０Ｂは、見込み面部３１Ａ、３１Ｂと、屋外保持部３２Ａ、３２Ｂと、化粧面部３３Ａ、３３Ｂとを備えている。見込み面部３１Ａ、３１Ｂは、戸体本体１１の見込み方向に沿って設けられた金属製見込み面部である。屋外保持部３２Ａ、３２Ｂは、見込み面部３１Ａ、３１Ｂの屋外側端部から内側（上額縁３０Ａでは下側、下額縁３０Ｂでは上側）に延出された金属製保持部である。化粧面部３３Ａ、３３Ｂは、見込み面部３１Ａ、３１Ｂの屋外側端部から外側（上額縁３０Ａでは上側、下額縁３０Ｂでは下側）に延長されている。
【００４６】
見込み面部３１Ａ、３１Ｂの屋内側端部には、屋内側に開口する溝を形成する溝形成部３４Ａ、３４Ｂが設けられ、見込み面部３１Ａ、３１Ｂの見込み方向中間部にはビスホール部３５Ａ、３５Ｂが形成されている。
溝形成部３４Ａ、３４Ｂの見込み方向の位置は、複層ガラス２１のほぼ中間部つまり板ガラス２１３が配置された位置であり、また、金属骨材１４０のウェブ１４１が設けられた範囲（屋外フランジ１４２と屋内フランジ１４３との間）に重なっている。
溝形成部３４Ａ、３４Ｂの溝には、後述するように、樹脂製額縁４０との連結用のタッピングねじ４９がねじ込まれる。
【００４７】
屋外保持部３２Ａ、３２Ｂは、見込み面部３１Ａ、３１Ｂの屋外側端部から内側に延長され、さらに屋内側つまり複層ガラス２１側に折曲されており、その屋内側端部には網入りガラス２１１の屋外面２１Ａに当接するシール材３６が取り付けられている。
【００４８】
化粧面部３３Ａ、３３Ｂは、見込み面部３１Ａ、３１Ｂの屋外側端部から戸体本体１１の上下端部まで延長され、その裏面には複数の突片が設けられ、この突片が屋外面材１４に当接することで、化粧面部３３Ａ、３３Ｂを屋外面材１４から離して配置している。
【００４９】
縦額縁３０Ｃ、３０Ｄは、図３、５に示すように、断面形状（横断面形状）が同一のアルミ押出形材であり、互いの左右が逆になるように配置されている。
縦額縁３０Ｃ、３０Ｄでは、見付け方向（Ｘ軸方向）において、複層ガラス２１側を内側、断熱芯材１６側を外側として説明する。
縦額縁３０Ｃ、３０Ｄは、上額縁３０Ａ、下額縁３０Ｂと同様に、戸体本体１１の見込み方向に沿って設けられた金属製見込み面部である見込み面部３１Ｃ、３１Ｄと、金属製保持部である屋外保持部３２Ｃ、３２Ｄと、化粧面部３３Ｃ、３３Ｄとを備えている。
【００５０】
見込み面部３１Ｃ、３１Ｄの屋内側端部には、屋内側に開口する溝を形成する溝形成部３４Ｃ、３４Ｄが設けられている。溝形成部３４Ｃ、３４Ｄの見込み方向の位置は、溝形成部３４Ａ、３４Ｂと同じ位置である。溝形成部３４Ｃ、３４Ｄの溝には、後述するように、樹脂製額縁４０との連結用のタッピングねじ４９がねじ込まれる。
見込み面部３１Ｃ、３１Ｄの見込み方向中間部には図示略の貫通穴が形成され、この貫通穴から前記ビスホール部３５Ａ、３５Ｂにネジ（図示略）をねじ込むことで、上額縁３０Ａ、下額縁３０Ｂと、縦額縁３０Ｃ、３０Ｄとが連結されている。
また、見込み面部３１Ｃ、３１Ｄの見込み方向中間部には、図示略の貫通穴が形成され、この貫通穴から前記ビスホール部３５Ａ、３５Ｂにネジ（図示略）をねじ込むことで、上額縁３０Ａ、下額縁３０Ｂと、縦額縁３０Ｃ、３０Ｄとが連結されている。
【００５１】
屋外保持部３２Ｃ、３２Ｄは、屋外保持部３２Ａ、３２Ｂと同様に、網入りガラス２１１の屋外面２１Ａに当接するシール材３６が取り付けられている。
化粧面部３３Ｃ、３３Ｄは、中空形状とされ、裏面側は屋外面材１４に当接している。
【００５２】
樹脂製額縁４０は、複層ガラス２１を囲むように設けられ、図４，５に示すように、複層ガラス２１の上側および下側に配置される上額縁４０Ａ、下額縁４０Ｂと、複層ガラス２１の左右に配置される縦額縁４０Ｃ、４０Ｄとを備えている。
各額縁４０Ａ〜４０Ｄは、同一断面形状の樹脂押出形材で構成されている。また、各額縁４０Ａ〜４０Ｄの長手方向の端部は、４５度の角度で切断され、その端面同士を突き合わせ、溶着や接着によって接合されている。
【００５３】
なお、各額縁４０Ａ〜４０Ｄは、同一断面形状であるため、図６に示す下額縁４０Ｂを例に構造を説明し、上額縁４０Ａ、縦額縁４０Ｃ、４０Ｄは、説明を省略する。
下額縁４０Ｂは、複層ガラス２１の外周面２１Ｃに沿って配置される見込み面部４１と、複層ガラス２１の屋内側に配置される樹脂製保持部である屋内側保持部４２と、屋内面材１５に当接される屋内当接部４３とを備えている。
見込み面部４１は、見込み方向に沿って配置されて、複層ガラス２１の外周面２１Ｃに対向する第１見込み面部４１１と、見込み方向に沿って配置されて、内骨１３（下骨１３Ｂ）に対向する第２見込み面部４１２と、第１見込み面部４１１および第２見込み面部４１２を連結する３つの連結部４１３〜４１５とを備えている。
連結部４１３〜４１５は、屋外側から順に、第１連結部４１３、第２連結部４１４、第３連結部４１５とされている。なお、第３連結部４１５は、強度を向上するため、他の連結部４１３、４１４に比べて見込み方向の寸法が大きくされ、ホロー部が形成されている。
また、連結部４１３には、金属製額縁３０に当接する軟質当接部４１３Ａが一体に設けられている。
【００５４】
見込み面部４１は、第１ホロー部（第１中空部）４１６と、第２ホロー部（第２中空部）４１７とを備える。第１ホロー部４１６は、第１見込み面部４１１、第２見込み面部４１２、第１連結部４１３、第２連結部４１４で囲まれ、第２ホロー部４１７は、第１見込み面部４１１、第２見込み面部４１２、第２連結部４１４、第３連結部４１５で囲まれて形成されている。
なお、見込み面部４１において、樹脂製額縁４０の内周側に位置する第１見込み面部４１１は、第２見込み面部４１２に比べて屋外側に突出しており、その先端は傾斜面４１１Ａとされている。
【００５５】
屋内側保持部４２は、見込み面部４１の第３連結部４１５から連続して形成され、複層ガラス２１の屋内面２１Ｂに対向する見付け面部４２１と、見付け面部４２１の端部に設けられた中空部４２２とを備えている。
中空部４２２の屋外面には、中空部４２２に比べて軟質なシール材４２４が設けられている。
中空部４２２の屋内面には、図４にも示すように、額縁カバー材５０に対向する対向部４２５と、額縁カバー材５０が係合される係合部４２６とが形成されている。
【００５６】
屋内当接部４３は、図６に示すように、第３連結部４１５から屋内側に延出された延出部４３１と、延出部４３１の屋内側端部から外側に延長された屋内側見付け面部である見付け面部４３２と、見付け面部４３２の外側端部から屋内面材１５側に突出された当接部４３３と、見付け面部４３２の屋内面材１５に対向する面に一体に設けられた軟質のシール材４３４とを備えている。
【００５７】
下額縁４０Ｂの第１ホロー部４１６および第２ホロー部４１７には、不燃断熱材１６０と同じ材質の不燃断熱材４６０が挿入されている。不燃断熱材４６０は、角柱状に形成され、下額縁４０Ｂの長手方向の全長に渡って挿入されている。
【００５８】
［樹脂製額縁の加熱発泡材］
下額縁４０Ｂの見込み面部４１の第１見込み面部４１１には、第１加熱発泡材４５が設けられ、第２見込み面部４１２には、第２加熱発泡材４６が設けられている。また、屋内側保持部４２の見付け面部４２１に、第３加熱発泡材４７が設けられている。
【００５９】
第１加熱発泡材４５は、見込み方向の位置が第１ホロー部４１６と略同じ位置とされた屋外側の第１加熱発泡材４５Ａと、第２ホロー部４１７と略同じ位置とされた屋内側の第１加熱発泡材４５Ｂとを備えている。
第２加熱発泡材４６も、同様に、見込み方向の位置が第１ホロー部４１６と略同じ位置とされた屋外側の第２加熱発泡材４６Ａと、第２ホロー部４１７と略同じ位置とされた屋内側の第２加熱発泡材４６Ｂとを備えている。なお、第２加熱発泡材４６Ｂは、その屋内側端部が第２ホロー部４１７よりも屋内側の位置となるように設けられている。
第３加熱発泡材４７は、第１加熱発泡材４５Ｂに連続して設けられている。
【００６０】
これらの各加熱発泡材４５〜４７と、複層ガラス２１や内骨１３との位置関係は以下の通りである。
すなわち、図４、６に示すように、第１加熱発泡材４５Ａは、複層ガラス２１のスペーサー２１６に対向する位置に設けられている。
第１加熱発泡材４５Ｂは、板ガラス２１２の外周面２１Ｃに対向し、さらに板ガラス２１２と屋内側保持部４２との隙間に設けられたシール材４２４に対向する位置に設けられている。
第２加熱発泡材４６Ａは、金属骨材１４０と区画片部１３４とに対向する位置に設けられている。第２加熱発泡材４６Ｂは、不燃断熱材１６０に対向する位置に設けられている。第３加熱発泡材４７は、板ガラス２１２の外周部の屋内面２１Ｂと、板ガラス２１２および第１見込み面部４１１間の空間に対向する位置に設けられている。
【００６１】
本実施形態の下額縁４０Ｂでは、図６に示すように、見込み面部４１、屋内側保持部４２、屋内当接部４３を構成する合成樹脂材と、加熱発泡材４５〜４７の材料と、シール材４２４、４３４、軟質当接部４１３Ａを構成する合成樹脂材との３種類の材料を同時押出成型することで製造された共押出成形品（一体成形品）である。
【００６２】
下額縁４０Ｂの屋内面には、火災時に発泡する第４加熱発泡材４８１を保持する金属製板材としての鋼板４８が設けられている。鋼板４８は、屋内側保持部４２および見込み面部４１の屋内面から、屋内当接部４３に沿って折り曲げられており、見付け面部４３２の屋外側の位置に第４加熱発泡材４８１が接着されている。
【００６３】
上額縁４０Ａ、下額縁４０Ｂ、縦額縁４０Ｃ、４０Ｄを矩形枠状に組み合わせて構成される樹脂製額縁４０は、金属製額縁３０に連結されている。すなわち、樹脂製額縁４０は、鋼板４８から上額縁４０Ａ、下額縁４０Ｂ、縦額縁４０Ｃ、４０Ｄの見込み面部４１に形成された貫通穴を介して、上額縁３０Ａ、下額縁３０Ｂ、縦額縁３０Ｃ、３０Ｄの溝形成部３４Ａ、３４Ｂ、３４Ｃ、３４Ｄにねじ込まれる複数本のタッピングねじ４９によって金属製額縁３０に連結されている。
タッピングねじ４９を締め付けることで、金属製額縁３０および樹脂製額縁４０で複層ガラス２１を挟み込んで保持できる。この際、シール材３６およびシール材４２４は、複層ガラス２１に当接し、シール材４３４は屋内面材１５に当接し、気密性を向上する。
また、樹脂製額縁４０は、軟質当接部４１３Ａが金属製額縁３０に当接するため、タッピングねじ４９を締め付けた際には軟質当接部４１３Ａが変形し、樹脂製額縁４０に応力が加わることを低減できる。
【００６４】
額縁カバー材５０は、樹脂製額縁４０が屋内側に露出しないように覆うカバーであり、アルミ押出形材で構成されている。額縁カバー材５０は、樹脂製額縁４０の係合部４２６に係合する内側係合部５１と、当接部４３３に係合する外側係合部５２とを備えている。
額縁カバー材５０は、上額縁４０Ａ、下額縁４０Ｂ、縦額縁４０Ｃ、４０Ｄをそれぞれ被覆しており、その長手方向の端面は、４５度に切断されており、その端面を突き合わせて接着することで枠状に組まれている。
なお、額縁カバー材５０は、樹脂製額縁４０を隠して玄関ドア１の屋内面の意匠性を向上させるものである。したがって、樹脂製額縁４０で意匠性を確保できる場合には、額縁カバー材５０は設けなくてもよい。
【００６５】
金属製額縁３０および樹脂製額縁４０で構成される額縁２２の内側（複層ガラス２１側）には、ガラス保持金具６０が設けられている。ガラス保持金具６０は、火災時に、樹脂製額縁４０が溶融したり、金属製額縁３０が熱変形することで、金属製額縁３０および樹脂製額縁４０で複層ガラス２１を保持できなくなった場合に、複層ガラス２１を保持するものである。このため、ガラス保持金具６０は、金属製額縁３０の材料（アルミニウム）に比べて融点が高いスチール等の金属材料で構成されている。
【００６６】
ガラス保持金具６０は、第１保持金具６１と、第２保持金具６２とを備えている。なお、ガラス保持金具６０について、図６に示す下額縁３０Ｂに取り付けられたガラス保持金具６０を例に説明する。
第１保持金具６１は、複層ガラス２１の外周面２１Ｃに沿って連続する長尺材で構成されている。一方、第２保持金具６２は、短尺なピース材であり、複層ガラス２１の外周面２１Ｃに沿って、間隔を空けて複数個設けられている。
【００６７】
第１保持金具６１は、第１見込み面部６１１と、第１見付け面部６１２と、連結片部６１３とを備える。
第１見込み面部６１１は、網入りガラス（防火ガラス）２１１の外周面２１Ｃと、下額縁３０Ｂの見込み面部３１Ｂとの間に配置され、見込み面部３１Ｂにリベット６１４で締結されている。第１見込み面部６１１の屋外側端縁の見込み方向の位置は、シール材３６の配置位置とほぼ一致し、網入りガラス２１１よりも屋外側の位置とされている。
また、第１見込み面部６１１の屋内側端縁の位置は、見込み面部３１Ｂの溝形成部３４Ｂよりも屋外側であり、網入りガラス２１１よりも屋内側の位置とされている。
【００６８】
第１見付け面部６１２は、第１見込み面部６１１の屋外側端縁から内側に突設されており、網入りガラス２１１の屋外側に配置される。第１見付け面部６１２は、シール材３６にほぼ当接する位置まで延長されており、見込み方向において網入りガラス２１１の屋外面２１Ａと重なる位置まで設けられている。
連結片部６１３は、第１見付け面部６１２よりも突出寸法が短くされ、複層ガラス２１の外周面２１Ｃに当接しないように構成されている。
【００６９】
第２保持金具６２は、第２見込み面部６２１と、第２見付け面部６２２と、連結片部６２３とを備える。
第２見込み面部６２１は、複層ガラス２１の板ガラス２１２および板ガラス２１３の外周面と、下額縁３０Ｂおよび下額縁４０Ｂとの間に配置されている。このため、第２見込み面部６２１は、金属製額縁３０および樹脂製額縁４０に跨がって設けられている。
第２見付け面部６２２は、第２見込み面部６２１の屋外側端縁から内側に突設されており、板ガラス２１２の屋内側に配置される。第２見付け面部６２２は、見付け方向内側（複層ガラス２１側）の位置が第１見付け面部６１２と同程度となる位置まで延長されており、見込み方向において板ガラス２１２の屋内面２１Ｂと重なる位置まで設けられている。
【００７０】
連結片部６２３は、第２見込み面部６２１の屋外側端部から見込み面部３１Ｂ側に突設され、連結片部６１３にネジ６２４によって連結されている。
【００７１】
第１保持金具６１の第１見込み面部６１１には、網入りガラス２１１の外周面２１Ｃに対向する加熱発泡材６３１が接着され、第１見付け面部６１２の屋内面には、網入りガラス２１１の屋外面２１Ａに対向する加熱発泡材６３２が接着されている。また、第１見付け面部６１２の屋外面には、第１見込み面部６１１との連結部に近接する位置に加熱発泡材６３３が接着されている。
なお、上額縁３０Ａ、下額縁３０Ｂに取り付けられた第１保持金具６１の加熱発泡材６３１の見込み方向の寸法は、第１見込み面部６１１の見込み方向の寸法とほぼ同じとされている。
一方、縦額縁３０Ｃ、３０Ｄに取り付けられた第１保持金具６１の加熱発泡材６３１の見込み方向の寸法は、第１見込み面部６１１の見込み方向の寸法よりも小さい寸法とされている。このため、縦額縁３０Ｃ、３０Ｄに取り付けられた第１保持金具６１には、連結片部６１３の屋外面にも加熱発泡材６３５が接着されている。
第２保持金具６２の第２見付け面部６２２の屋外面には、板ガラス２１２に対向する加熱発泡材６３４が接着されている。
【００７２】
なお、図４，５に示すように、上額縁３０Ａ、縦額縁３０Ｃ、３０Ｄに取り付けられるガラス保持金具６０も、下額縁３０Ｂに取り付けられたガラス保持金具６０と同じ構成であるため、説明を省略する。
【００７３】
下額縁３０Ｂおよび左右の縦額縁３０Ｃ、３０Ｄと複層ガラス２１との間には、セッティングブロック２５が配置されている。セッティングブロック２５は、短尺のピース状に形成されており、下額縁３０Ｂや縦額縁３０Ｃ、３０Ｄの長手方向に沿って複数（例えば２個）配置されている。また、下額縁３０Ｂおよび縦額縁３０Ｃ、３０Ｄに固定された第１保持金具６１の第１見込み面部６１１、連結片部６１３には、セッティングブロック２５が配置される位置に合わせて切欠きが形成され、この切欠部分にセッティングブロック２５が配置されている。第２保持金具６２はピース材であるため、セッティングブロック２５とは異なる位置に配置されている。なお、第１保持金具６１の第１見込み面部６１１に切欠きを形成せずに、第１見込み面部６１１にセッティングブロック２５を載置してもよい。
セッティングブロック２５には、図６に示すように、樹脂製額縁４０を金属製額縁３０に連結する際に、第１見込み面部４１１の先端を案内する傾斜面２５１と、傾斜面２５１に連続して形成されて第１見込み面部４１１を案内する案内面２５２とを備えている。
【００７４】
図５に示すように、縦額縁３０Ｃ、３０Ｄと、縦骨１３Ｃ、１３Ｄとの間には、これらの相対的な移動を規制する差込金具２６が設けられている。すなわち、縦額縁３０Ｃ、３０Ｄの長手方向（上下方向）の複数箇所には、見込み面部３１Ｃ、３１Ｄおよび第１見込み面部６１１を貫通する貫通孔が形成されている。また、縦骨１３Ｃ、１３Ｄの金属骨材１４０のウェブ１４１には、前記貫通孔に対応する角穴が形成されている。そして、縦額縁３０Ｃ、３０Ｄと縦骨１３Ｃ、１３Ｄとは、前記貫通孔に差し込まれた差込金具２６によって見込み方向および上下方向に位置決めされている。このため、火災時には、金属骨材１４０に対するガラス保持金具６０の相対位置が差込金具２６によって規制される。
【００７５】
次に、外骨１２の構成について、図７，８をも参照して説明する。図７は、上骨１２Ａおよび下骨１２Ｂ部分を拡大した縦断面図であり、図８は、縦骨１２Ｃ、１２Ｄ部分を拡大した横断面図である。
外骨１２は、断熱芯材１６の上面、下面、左右の側面に沿って配置された上骨１２Ａ、下骨１２Ｂ、左右の縦骨１２Ｃ，１２Ｄを備えている。
上骨１２Ａ、下骨１２Ｂ、縦骨１２Ｃ、１２Ｄは、下骨１３Ｂとは、樹脂骨材１３０、金属骨材１４０の向きや、ブラケット１５０の形状等で一部相違するが、基本的な構造は同じである。このため、各部品で対応する構成には同一符号を付し、説明を簡略する。
【００７６】
上骨１２Ａ、下骨１２Ｂは、図２、７に示すように、上骨１３Ａや下骨１３Ｂと同様に、樹脂骨材１３０、金属骨材１４０、ブラケット１５０、不燃断熱材１６０を備えて構成されている。ただし、上骨１３Ａや下骨１３Ｂとは、樹脂骨材１３０に対する金属骨材１４０の向きが異なる点と、ブラケット１５０が受け片部および連結片部のみを備えて断面略Ｌ字状に形成されている点で相違する。
上骨１２Ａでは、樹脂骨材１３０は、連結片部１３１が扉１０の上面に露出し、屋外片部１３２、屋内片部１３３、区画片部１３４が下方つまり断熱芯材１６に向かって突出する向きに配置されている。金属骨材１４０は、ウェブ１４１が連結片部１３１に沿って配置され、屋外フランジ、屋内フランジが下方に向かって突出する向きに配置されている。
ブラケット１５０は、受け片部が連結片部に沿って配置され、固定片部が下方に向かって突出している。
下骨１２Ｂは、上骨１２Ａの上下を逆にした向きで配置されている。
【００７７】
縦骨１２Ｃ，１２Ｄは、図３、８に示すように、上骨１２Ａ、下骨１２Ｂと同様に、樹脂骨材１３０、金属骨材１４０、ブラケット１５０、不燃断熱材１６０を備えて構成されている。縦骨１２Ｃ、１２Ｄは、上骨１２Ａ、下骨１２Ｂとは、樹脂骨材１３０に後述するエッジ材５５およびカバー材５６を取り付けるための断面略Ｌ字状の係合突部が形成されている点で相違するが、その他の構成は同一であるため、説明を省略する。
【００７８】
屋外面材１４は、断熱芯材１６の屋外面に沿って配置され、その外縁部は、樹脂骨材１３０の屋外片部１３２から連結片部１３１に沿って屋内側に折り曲げられ、樹脂骨材１３０および金属骨材１４０に、リベットで固定されている。
屋内面材１５は、断熱芯材１６の屋内面に沿って配置され、その外縁部は、樹脂骨材１３０の屋内片部１３３から連結片部１３１に沿って屋外側に折り曲げられ、樹脂骨材１３０およびブラケット１５０にリベットで固定されている。
【００７９】
外骨１２の上骨１２Ａ、下骨１２Ｂには、加熱発泡材１８１、１８２が設けられている。加熱発泡材１８１は、樹脂骨材１３０の連結片部１３１における区画片部１３４の屋外側の位置に両面テープなどで接着されている。加熱発泡材１８１は、連結片部１３１と、金属骨材１４０のウェブ１４１との間に設けられる。
加熱発泡材１８１は、火災によって加熱されると発泡して膨張し、連結片部１３１が溶融した場合に、金属骨材１４０と上枠３、下枠４との隙間を塞ぐ。特に、加熱発泡材１８１のパネル内部側は金属骨材１４０のウェブ１４１が配置されているため、加熱発泡材１８１は上枠３、下枠４側に向かって発泡し、上枠３、下枠４との隙間に充填して塞ぐことができる。
【００８０】
加熱発泡材１８２は、樹脂骨材１３０の連結片部１３１における屋内片部１３３および区画片部１３４間の位置に両面テープなどで接着されている。加熱発泡材１８２は、屋内面材１５と不燃断熱材１６０との間に配置されている。
加熱発泡材１８２は、火災によって加熱されると発泡して膨張し、連結片部１３１が溶融した場合に、不燃断熱材１６０と屋内面材１５との隙間に充填して塞ぎ、さらに加熱発泡材１８２の一部は、不燃断熱材１６０と上枠３、下枠４との隙間に充填して塞ぐことができる。
【００８１】
なお、上枠３の下面には、保持プレート３１０で支持された加熱発泡材３２０が貼られており、この加熱発泡材３２０が上骨１２Ａ側に向かって発泡するため、前記加熱発泡材１８２と共に、不燃断熱材１６０および上枠３間を塞ぐことができる。
【００８２】
外骨１２の縦骨１２Ｃ、１２Ｄには、上骨１２Ａ、下骨１２Ｂと同じ加熱発泡材１８２の他、金属骨材１４０の屋外フランジ１４２、屋内フランジ１４３に接着された加熱発泡材１８３、１８４を備えている。
縦骨１２Ｃ、１２Ｄの樹脂骨材１３０の表面には、アルミ製のエッジ材５５が取り付けられている。エッジ材５５の樹脂骨材１３０に対向する面には加熱発泡材５８が貼られている。
【００８３】
カバー材５６は、ＰＶＣなどの熱可塑性樹脂で構成され、エッジ材５５の屋内側に配置されている。
カバー材５６の裏面、つまり樹脂骨材１３０に対向する面には、加熱発泡材５６５，５６６が設けられている。カバー材５６と、加熱発泡材５６５，５６６とは、同時押出成型することで一体に製造されている。
カバー材５６は、扉１０を閉めた際に、前記サブタイト材９が当接する位置に配置されている。
【００８４】
縦枠５、６には、屋外部材および断熱部材に跨がって貼り付けられた加熱発泡材３７と、屋内部材および断熱部材に跨がって貼り付けられた加熱発泡材３８と、メインタイト材８の保持片部に貼られた加熱発泡材３９とが設けられている。
【００８５】
玄関ドア１における防火構造について、火災によって発泡する加熱発泡材の機能について説明する。
【００８６】
火災時の熱で採光窓２０の周囲の温度が上昇し、図４、５に示す各加熱発泡材が発泡温度（例えば２００℃）に到達すると、各加熱発泡材が発泡して膨張する。
複層ガラス２１と額縁２２との間では、網入りガラス２１１の外周面２１Ｃに対向する加熱発泡材６３１が発泡して膨張するため、第１保持金具６１の第１見込み面部６１１と網入りガラス２１１の外周面との間を塞ぐ。なお、縦額縁３０Ｃ、３０Ｄに設けられた加熱発泡材６３１は、上額縁３０Ａ、下額縁３０Ｂに設けられた加熱発泡材６３１に比べて体積が小さいが、加熱発泡材６３５が設けられているので、第１保持金具６１で囲まれる空間内の加熱発泡材の体積はほぼ同じである。そして、加熱発泡材６３１、６３５は、第１保持金具６１で囲まれているので、主に第１保持金具６１で塞がれていない網入りガラス２１１側に向かって膨張し、網入りガラス２１１と第１保持金具６１との間を確実に塞ぐことができる。
また、網入りガラス２１１の屋外面２１Ａに対向する加熱発泡材６３２が発泡し、第１見付け面部６１２と網入りガラス２１１の屋外面２１Ａとの隙間を塞ぐことができる。さらに、加熱発泡材６３１、加熱発泡材６３５は、網入りガラス２１１の屋内側にも対向するため、スペーサー２１５部分も覆うことができる。
【００８７】
また、内骨１３の金属骨材１４０に設けられた加熱発泡材１７１、１７２は、発泡温度に達すると、金属製額縁３０に向かって発泡して膨張する。このため、金属骨材１４０と、金属製額縁３０の見込み面部３１Ａ〜３１Ｄまたは第１保持金具６１との隙間を塞ぐことができる。なお、加熱発泡材１７１、１７２は、屋内面材１５と金属骨材１４０との隙間や、金属骨材１４０に形成される穴なども塞ぐため、仮に断熱芯材１６等からガスが発生してもそのガスが金属製額縁３０側に流出することを防止できる。
第１保持金具６１の屋外面に設けられた加熱発泡材６３３は、加熱発泡材１７１とともに隙間を塞いだり、第１保持金具６１の屋外面を覆って第１保持金具６１等の温度上昇を抑制する。
【００８８】
樹脂製額縁４０の見込み面部４１に設けられた第１加熱発泡材４５Ａ，４５Ｂ、第２加熱発泡材４６Ａ、４６Ｂ、第３加熱発泡材４７は、発泡して膨張することで、樹脂製額縁４０の周囲を被覆して樹脂製額縁４０ができるだけ形状を維持するように機能する。
第１加熱発泡材４５Ａ，４５Ｂは、第２保持金具６２や複層ガラス２１の外周面２１Ｃとの隙間も塞ぎ、火炎や煙が流れることを防止できる。
第２加熱発泡材４６Ａ、４６Ｂは、内骨１３の金属骨材１４０や不燃断熱材１６０との隙間も塞ぐ。
さらに、仮に見込み面部４１の一部が溶融した場合でも、ホロー部４１６、４１７に不燃断熱材４６０が配置されているため、加熱発泡材４５Ａ，４５Ｂ、４６Ａ，４６Ｂは、不燃断熱材４６０側ではなく、複層ガラス２１や内骨１３側に発泡してそれらとの隙間を確実に塞ぐことができる。
第３加熱発泡材４７は、複層ガラス２１の屋内面２１Ｂに向かって発泡し、屋内側保持部４２と複層ガラス２１との隙間を塞ぐことができる。
【００８９】
加熱発泡材１７３は、不燃断熱材１６０と屋内面材１５との隙間を塞ぎ、断熱芯材１６から発生するガスの流出を防止する。
第４加熱発泡材４８１は、鋼板４８と屋内面材１５との隙間を塞ぎ、ガス等の流出を防止する。
【００９０】
火災時の熱でドア枠および扉の外骨部分の温度が上昇し、図７、８に示す各加熱発泡材が発泡温度（例えば２００℃）に到達すると、各加熱発泡材が発泡して膨張する。
図７に示すように、加熱発泡材１８１、１８２は、発泡して膨張すると、上枠３と上骨１２Ａとの隙間および下枠４と下骨１２Ｂとの隙間を塞ぐ。また、加熱発泡材３２０は、上枠３と上骨１２Ａの隙間を塞ぐ。
【００９１】
図８に示すように、加熱発泡材５８、５６５、５６６、３７、３８、３９が発泡すると、縦枠５、６および縦骨１２Ｃ、１２Ｄの間を塞ぐ。また、加熱発泡材１８３、１８４、１８２は樹脂骨材１３０、金属骨材１４０に形成された穴や、不燃断熱材１６０および屋内面材１５間の隙間などを塞ぎ、断熱芯材１６から発生したガスが流出することを防止している。
【００９２】
以上のように、火災時には各加熱発泡材が発泡し、扉１０内部を密閉したり、ドア枠２および扉１０間の隙間を塞ぐため、玄関ドア１において必要な防火性能が確保される。
【００９３】
［実施形態による効果］
（１）戸体である扉１０において、樹脂製額縁４０の見込み面部４１と、複層ガラス２１の外周面２１Ｃとの少なくとも一方である見込み面部４１に、第１加熱発泡材４５を設けたので、火災時の温度上昇により第１加熱発泡材４５が発泡した際に、見込み面部４１および複層ガラス２１の外周面２１Ｃ間の隙間を、発泡膨張した第１加熱発泡材４５で塞ぐことができる。これにより、例えば、屋外または屋内で火災が発生した場合に、火炎や煙が額縁２２および複層ガラス２１間の隙間を介して屋内外に流入することを防止できる。したがって、扉１０の採光窓２０における防火性能を向上できる。
扉１０において、樹脂製額縁４０の見込み面部４１と、戸体本体１１の開口部１１Ａの内周面との少なくとも一方である見込み面部４１に、第２加熱発泡材４６を設けたので、火災時の温度上昇により第２加熱発泡材４６が発泡した際に、見込み面部４１および戸体本体１１の開口部１１Ａの内周面間の隙間を、発泡膨張した第２加熱発泡材４６で塞ぐことができる。これにより、額縁２２および戸体本体１１間の隙間から屋内外に火炎や煙が流入することを防止でき、扉１０の採光窓２０における防火性能を向上できる。
また、見込み面部４１と、複層ガラス２１および戸体本体１１との間を、第１加熱発泡材４５と第２加熱発泡材４６とで塞ぐことができる。このため、見込み面部４１が高熱に晒されることを抑制でき、見込み面部４１が溶融することを防止できる。このため、各加熱発泡材４５，４６で前記各隙間を塞ぐ効果も維持できる。
さらに、複層ガラス２１の外周面２１Ｃに沿って配置される見込み面部４１を設けたので、見込み面部４１を少なくとも複層ガラス２１の屋内面２１Ｂよりも屋外側に突出して設けることができる。このため、金属製額縁３０と樹脂製額縁４０との連結位置を、前記屋内面２１Ｂよりも屋外側に配置させることができ、金属製額縁３０の配置位置を屋外側にできるため、額縁２２の断熱性能を向上できる。
したがって、採光窓２０を有しつつ、断熱性能および防火性能を向上できる戸体である扉１０と、建具である玄関ドア１を提供できる。
【００９４】
（２）樹脂製額縁４０の見込み面部４１に、第１ホロー部４１６、第２ホロー部４１７を設けて、不燃断熱材４６０を配置したので、樹脂製額縁４０の断熱性能を向上でき、その分、額縁２２全体の断熱性能も向上できる。
また、ホロー部４１６，４１７内に不燃断熱材４６０が配置されているため、火災時にホロー部４１６、４１７つまり見込み面部４１の形状を維持することができる。すなわち、本実施形態によれば、ホロー部４１６，４１７に不燃断熱材４６０が配置されていない場合に比べて、火災時に見込み面部４１の形状をより長く維持できる。このため、加熱発泡材４５、４６による各隙間を塞ぐ隙間密閉効果を長く維持でき、その分、防火性能を向上できる。
【００９５】
（３）樹脂製額縁４０の見込み方向において、不燃断熱材４６０が配置される領域と、第１加熱発泡材４５および第２加熱発泡材４６が配置される領域とは、少なくとも一部が重なっている。このため、火災時には、加熱発泡材４５、４６は、不燃断熱材４６０と、複層ガラス２１や戸体本体１１との隙間を塞ぐように発泡する。したがって、加熱発泡材４５、４６が発泡時に塞ぐ必要がある空間の体積が、不燃断熱材４６０を設けない場合に比べて小さくなり、加熱発泡材４５、４６の量も少なくできて、加熱発泡材４５、４６のコストも低減できる。
【００９６】
（４）見込み面部４１の第１見込み面部４１１および第２見込み面部４１２は、複層ガラス２１の外周面２１Ｃに沿って連続する平面であるため、外周面２１Ｃや開口部１１Ａに設ける場合に比べて、第１加熱発泡材４５および第２加熱発泡材４６を容易に設けることができる。
第１加熱発泡材４５および第２加熱発泡材４６を樹脂製額縁４０に設けるため、樹脂製額縁４０と加熱発泡材４５、４６とを同時押出成形（共押出成形）で一体成形品として製造することもでき、生産性を向上できる。
【００９７】
（５）樹脂製額縁４０の屋内側保持部４２に第３加熱発泡材４７を設けたので、火災時に、屋内側保持部４２と複層ガラス２１の屋内面２１Ｂとの間を、発泡した第３加熱発泡材４７で塞ぐことができる。このため、樹脂製額縁４０と複層ガラス２１との間は、第１加熱発泡材４５および第３加熱発泡材４７によって、複層ガラス２１の外周面２１Ｃおよび屋内面２１Ｂの２つの面で塞がれるため、防火性能をより向上できる。
【００９８】
（６）樹脂製額縁４０の屋内面に鋼板４８を取り付け、鋼板４８と見付け面部４３２との間に第４加熱発泡材４８１を設けたので、扉１０の屋内側で火災が発生した場合に、樹脂製額縁４０の見付け面部４３２が溶融、焼失した場合でも、第４加熱発泡材４８１が発泡膨張することで、鋼板４８と扉１０の屋内面材１５との間を塞ぐことができる。したがって、樹脂製額縁４０の見込み面部４１が火炎に晒されることを防止でき、防火性能を向上できる。
【００９９】
（７）樹脂製額縁４０の見込み面部４１に、見込み方向に配置された２つのホロー部４１６、４１７を設けたので、見込み面部４１の見込み寸法が比較的大きくても、強度を確保することができる。さらに、２つのホロー部４１６，４１７を設けていれば、各ホロー部４１６、４１７を第２連結部４１４で区画でき、屋外側の第１ホロー部４１６内で冷やされた空気が、第２ホロー部４１７に流入することもないため、１つのホロー部を設けた場合に比べて断熱性を向上できる。
【０１００】
（８）また、図２，３に示すように、扉１０の見込み方向において、中間位置よりも屋内側の位置に、連続する断熱ラインを構成できるため、扉１０の断熱性能を向上できる。すなわち、外骨１２の不燃断熱材１６０、断熱芯材１６、内骨１３の不燃断熱材１６０、樹脂製額縁４０の見込み面部４１、複層ガラス２１の板ガラス２１２および板ガラス２１３間の中間部は、扉１０の見込み方向の位置がほぼ揃っているため、扉１０の断熱性能を向上できる。さらに、見込み面部４１のホロー部４１６，４１７に配置される不燃断熱材４６０の位置も、前記断熱ラインに一致するため、扉１０の断熱性能をさらに向上できる。
その上、ドア枠２（上枠３、下枠４、縦枠５、６）を断熱形材で構成し、断熱形材における断熱部材を見込み方向の位置も、前記扉１０の断熱ラインにほぼ揃っているため、玄関ドア１の断熱性能も向上できる。
【０１０１】
［変形例］
なお、本発明は以上の実施形態で説明した構成のものに限定されず、本発明の目的を達成できる範囲での変形例は、本発明に含まれる。
樹脂製額縁４０としては、前記実施形態の構成に限定されない。例えば、第１加熱発泡材および第２加熱発泡材は、樹脂製額縁４０側に設けられるものに限定されず、複層ガラス２１の外周面２１Ｃ側や、開口部１１Ａの内周面側に設けてもよい。図９に示す樹脂製額縁４０Ｅでは、第１加熱発泡材４５１は樹脂製見込み面部である見込み面部４１の第１見込み面部４１１に設けているが、第２加熱発泡材は第２見込み面部４１２に設けていない。すなわち、第２加熱発泡材は、見込み面部４１の第２見込み面部４１２と開口部１１Ａの内周面（内骨１３）との少なくとも一方に設けられていればよく、図９では、金属骨材１４０に取り付けられた加熱発泡材１７３が第２加熱発泡材として用いられる。また、第１加熱発泡材も、外周面２１Ｃ側に設けてもよい。
【０１０２】
第３加熱発泡材４７は、複層ガラス２１の屋内面２１Ｂ側に設けてもよいし、第２保持金具６２を利用して設けてもよい。さらに、第３加熱発泡材４７は必ずしも設けなくてもよい。すなわち、第１加熱発泡材４５によって、屋内面２１Ｂと屋内側保持部４２との間を塞ぐこともできるためである。
【０１０３】
第１加熱発泡材４５、第２加熱発泡材４６、第３加熱発泡材４７は、前記実施形態のように、樹脂製額縁４０と同時押出成形によって一体化されたものに限定されず、図９に示すように、樹脂製額縁４０Ｅに両面テープや接着剤で接着される第１加熱発泡材４５１、第３加熱発泡材４７１等を用いてもよい。
【０１０４】
前記実施形態の樹脂製額縁４０では、第１ホロー部４１６、第２ホロー部４１７に不燃断熱材４６０を配置していたが、不燃断熱材４６０を配置しなくてもよい。
また、樹脂製額縁４０では、２つのホロー部４１６、４１７を設けていたが、１つのホロー部のみを設けてもよいし、３つの以上のホロー部を設けてもよい。ホロー部の大きさや数は、見込み面部４１の見込み方向の寸法などに応じて設計すればよい。
【０１０５】
前記実施形態の樹脂製額縁４０では、第４加熱発泡材４８１を鋼板４８に接着していたが、見付け面部４３２に接着してもよく、屋内側見付け面部である見付け面部４３２と鋼板４８との間に配置されていればよい。
【０１０６】
扉１０の採光窓２０の構成は、前記実施形態に限定されない。例えば、複層ガラス２１において、防火ガラスとしては網入りガラス２１１に限定されず、耐熱強化ガラス等の各種防火ガラスを用いることができる。また、複層ガラス２１におけるガラス枚数は３枚に限定されず、扉１０や玄関ドア１が用いられる地域などで必要となる防火性および断熱性を考慮して設定すればよい。
扉１０において、金属製額縁３０や樹脂製額縁４０の構成は、前記実施形態に限定されない。例えば、金属製額縁３０は、樹脂製額縁４０と同様に、複層ガラス２１の周囲のみに設けてもよいし、その形状も玄関ドア１のデザインなどに応じて適宜設定すれば良い。
【０１０７】
さらに、複層ガラス２１を保持する額縁２２として、前記実施形態の金属製額縁３０に代わりに、図１０に示すように、複層ガラス２１の屋外側を保持する樹脂製額縁７０を設けてもよい。例えば、図１０に示す上額縁７０Ａ、下額縁７０Ｂは、強度を向上するため、ホロー部（中空部）が形成されている。また、上額縁７０Ａ、下額縁７０Ｂは、金属製額縁３０と同様に、見込み面部７１Ａ、７１Ｂと、屋外保持部７２Ａ、７２Ｂと、化粧面部７３Ａ、７３Ｂとを備える。屋外保持部７２Ａの屋内面には屋外保持部７２Ａに比べて軟質なシール材７６が設けられている。
上額縁７０Ａ、下額縁７０Ｂは、タッピングねじ４９を用いて上額縁４０Ａ、下額縁４０Ｂと連結されている。また、ガラス保持金具６０は、上額縁７０Ａ、下額縁７０Ｂにネジ止めされている。図示を略すが縦額縁も同様である。
複層ガラス２１の屋外側の額縁を樹脂製額縁７０で構成すれば、金属製額縁３０を用いた場合に比べて断熱性能を向上できる。また、樹脂製額縁７０の見込み面部７１Ａ、７１Ｂの複層ガラス２１側には、第１保持金具６１に取り付けられた加熱発泡材６３１、６３２、６３３が配置され、金属骨材１４０側には加熱発泡材１７１、１７２が配置されているので、発泡した加熱発泡材１７１、１７２、６３１、６３２、６３３で、見込み面部７１Ａ、７１Ｂを覆うことができる。したがって、樹脂製額縁７０の防火性能も向上することができる。
【０１０８】
本発明において、加熱発泡材の配置箇所などは前記実施形態の例に限定されず、火災時の火炎や煙、さらには断熱芯材１６等で発生するガスの流れなどを考慮して設定すればよい。
【０１０９】
外骨１２や内骨１３における樹脂骨材１３０、金属骨材１４０、ブラケット１５０、不燃断熱材１６０の構成は、前記実施形態に限定されない。例えば、樹脂骨材１３０は、区画片部１３４を備えずに、断面略コ字状の樹脂骨材を用いてもよい。
同様に、金属骨材１４０やブラケット１５０の形状も前記実施形態に限定されない。
【０１１０】
本発明の建具は、玄関ドアに限らず、勝手口ドアなど出入り口の各種ドアとして利用できる。この際、本発明は、親扉、子扉の２枚の扉が設けられた建具にも適用でき、さらには、引戸タイプの建具にも適用できる。
また、ドア枠としては、アルミ製の屋外部材と、樹脂製の屋内部材とで構成したドア枠でもよいし、アルミ製のドア枠でもよい。さらに、ドア枠としては、上枠３、縦枠５、６を備え、下枠を備えないドア枠も用いることができる。
また、第１加熱発泡材、第２加熱発泡材、第３加熱発泡材、その他の加熱発泡材は、それぞれ発泡倍率の異なる加熱発泡材で構成しても良いし、それぞれ発泡開始温度が異なるもので構成しても良い。
【符号の説明】
【０１１１】
１…建具である玄関ドア、２…ドア枠、１０…戸体である扉、１１…戸体本体、１１Ａ…開口部、１２…外骨、１２Ａ…上骨、１２Ｂ…下骨、１２Ｃ、１２Ｄ…縦骨、１３…内骨、１３Ａ…上骨、１３Ｂ…下骨、１３Ｃ、１３Ｄ…縦骨、１４…屋外面材、１５…屋内面材、１６…断熱芯材、２０…採光窓、２１…複層ガラス、２１Ａ…屋外面、２１Ｂ…屋内面、２１Ｃ…外周面、２２…額縁、２５…セッティングブロック、２６…差込金具、３０…金属製額縁、３０Ａ…上額縁、３０Ｂ…下額縁、３０Ｃ、３０Ｄ…縦額縁、３１Ａ、３１Ｂ、３１Ｃ、３１Ｄ……金属製見込み面部である見込み面部、３２Ａ、３２Ｂ、３２Ｃ、３２Ｄ…金属製保持部である屋外保持部、３４Ａ、３４Ｂ、３４Ｃ、３４Ｄ…溝形成部、４０…樹脂製額縁、４０Ａ…上額縁、４０Ｂ…下額縁、４０Ｃ、４０Ｄ…縦額縁、４０Ｅ…樹脂製額縁、４１…樹脂製見込み面部である見込み面部、４２…樹脂製保持部である屋内側保持部、４３…屋内当接部、４５、４５Ａ、４５Ｂ、４５１…第１加熱発泡材、４６、４６Ａ、４６Ｂ…第２加熱発泡材、４７、４７１…第３加熱発泡材、４８…金属製板材である鋼板、５０…額縁カバー材、６０…ガラス保持金具、６１…第１保持金具、６２…第２保持金具、１３０…樹脂骨材、１４０…金属骨材、１５０…ブラケット、１６０…不燃断熱材、１７１、１７２、１７３、１８１、１８２、１８３、１８４…加熱発泡材、２１１…網入りガラス、２１２、２１３…板ガラス、４１１…第１見込み面部、４１２…第２見込み面部、４１６…第１ホロー部、４１７…第２ホロー部、４２１…見付け面部、４３２…屋内側見付け面部である見付け面部、４６０…不燃断熱材、４８１…第４加熱発泡材、６１１…第１見込み面部、６１２…第１見付け面部、６１３…連結片部、６２１…第２見込み面部、６２２…第２見付け面部、６２３…連結片部。
【図１】
2018178432.tif 000003
【図２】
2018178432.tif 000004
【図３】
2018178432.tif 000005
【図４】
2018178432.tif 000006
【図５】
2018178432.tif 000007
【図６】
2018178432.tif 000008
【図７】
2018178432.tif 000009
【図８】
2018178432.tif 000010
【図９】
2018178432.tif 000011
【図１０】
2018178432.tif 000012